(57)【要約】【課題】  本発明は、河川、湖沼、池等の水質浄化、工場廃水、下水等の処理に好適に使用し得る水質浄化エレメント、更には回収及び再利用を容易に行い得る水質浄化エレメントを提供することを目的とする。【解決手段】  透水性容器２に、ブライオゾーア化石粉末４と活性炭５とを収容して成る水質浄化エレメント１である。【選択図】  図１
2006289176.tif 000002
【特許請求の範囲】
【請求項１】
透水性容器に、ブライオゾーア化石粉末と活性炭とを収容して成る水質浄化エレメント。
【請求項２】
前記透水性容器内が少なくとも２以上の区域に区分され、該区域ごとに前記ブライオゾーア化石粉末と前記活性炭とが別々に収容されて成る請求項１に記載の水質浄化エレメント。
【請求項３】
前記ブライオゾーア化石粉末の最大粒度が５ｍｍ以下である請求項１又は請求項２に記載の水質浄化エレメント。
【発明の詳細な説明】
【技術分野】
【０００１】
本発明は、河川、湖沼、池等の水質浄化、工場廃水、下水等の処理に好適に使用し得る水質浄化エレメントに関する。
【背景技術】
【０００２】
従来から、苔虫類（学術名：ブライオゾーア）の化石に水質浄化機能があることは知られている（例えば、特許文献１及び特許文献２参照。）。水にブライオゾーアを入れると、炭酸カルシウムの働きで酸素を発生することにより嫌気性菌が減少し、ガスの発生を止めヘドロの汚れを分解し沈殿させる。これは、ブライオゾーアが水中で鉱物化の中間状態となり、炭酸カルシウムの作用により方解石化し始め、ヘドロに含まれる重金属、切削油、インク、重油燃焼時の煙突から出た亜硫酸ガス等を吸着し、ｐｈも中性化して沈降固定化させるのである。また、ブライオゾーアは、特に水中のリン化合物と反応してＣａ（ＰＯ４）になると考えられ、富栄養源のリンが激減すると思われる。更に、酸素が発生するので、水中の上層と下層の水が均等化し、好気性菌や光合成菌が繁殖しやすい環境となる。また、ｐｈがアルカリ性のため、水質もアルカリ性に傾き、蚊の産卵を抑制できる。
【０００３】
特許文献１に開示された凝集沈降剤は、上記のような水質浄化機能を備えるブライオゾーアを粉体加工したものである。当該凝集沈降剤、又はこれに無機中性凝集剤を混合したものを、湖沼等の水面に散布して攪拌装置により攪拌することで、水質の浄化を図っている。しかし、撹拌装置の設置にはコストがかかると共に、湖沼等の水域が広範になると撹拌装置による撹拌も困難となる。
【０００４】
また、特許文献２に開示された水質浄化装置は、多孔質石灰粒子を収容した透水性収容袋から成り、これを水中の有機汚泥内に沈めることによって水質浄化を図っている。この水質浄化装置の投入・引き上げ工の反復によって、水源の多量浄化を行い得る。特に、多孔質石灰粒子に凝集剤を添加した水質浄化装置は、高い水質浄化効果が得られる。また、この水質浄化装置は、装置自体の回収が容易であり、回収した多孔質石灰粒子は農業用土壌改良材としても利用することができる。
【特許文献１】特開２０００−１７６２０５号公報
【特許文献２】特開２００１−２２５０９８号公報
【発明の開示】
【発明が解決しようとする課題】
【０００５】
しかし、近時の水域環境汚染は更に深刻な問題となっており、より水質浄化効果の高い水質浄化剤或いは水質浄化装置が求められている。また、特許文献２に開示された水質浄化装置において、多孔質石灰粒子に凝集剤を添加した態様では、回収した多孔質石灰粒子に凝集剤が残留しているため、土壌改良材としてそのまま利用することは好ましくない。
【０００６】
そこで本発明は、上記の問題点に鑑み、河川、湖沼、池等の水質浄化、工場廃水、下水等の処理に好適に使用し得る水質浄化エレメント、更には回収及び再利用を容易に行い得る水質浄化エレメントを提供することを目的とする。
【課題を解決するための手段】
【０００７】
即ち、本発明の要旨とするところは、透水性容器に、ブライオゾーア化石粉末と活性炭とを収容して成る水質浄化エレメントである。
【０００８】
かかる水質浄化エレメントにおいて、前記透水性容器内が少なくとも２以上の区域に区分され、該区域ごとに前記ブライオゾーア化石粉末と前記活性炭とが別々に収容されて成ることにある。
【０００９】
かかる水質浄化エレメントにおいて、前記ブライオゾーア化石粉末の最大粒度は５ｍｍ以下であることが好ましい。
【発明の効果】
【００１０】
本発明の水質浄化エレメントによると、ブライオゾーア化石粉末による水質浄化効果と共に、活性炭による水質浄化効果も得られる。すなわち、ブライオゾーア化石粉末と活性炭との相乗効果によって、より水質浄化効果の高い水質浄化エレメントが得られる。
【００１１】
また、本発明の水質浄化エレメントによると、ブライオゾーア化石粉末と活性炭とが透水性容器内に収容されているため、河川、湖沼、池等の水域への投入が容易であると共に、水域に投入された水質浄化エレメントの回収も非常に容易である。
【００１２】
更に、本発明の水質浄化エレメントに係る透水性容器において、当該透水性容器内を幾つかの区域に区分し、これらの区域ごとにブライオゾーア化石粉末と活性炭とを別々に収容することによって、水質浄化エレメントを回収した際にブライオゾーア化石粉末と活性炭との分別が容易であるため、それぞれの再利用を容易に行い得る。
【発明を実施するための最良の形態】
【００１３】
以下、本発明の水質浄化エレメントの実施形態について、図面に基づき説明する。なお、本発明は以下に示す実施形態に限定されるものではない。
【００１４】
本実施の形態に係る水質浄化エレメント１は、図１及び図２に示すように、透水性容器２に、水質浄化剤としてブライオゾーア化石粉末４と活性炭５とが収容されて成る。透水性容器２は、不織布で形成された透水性を備える一辺約５０ｃｍ四方の袋状容器（以下、「透水性袋」という。）である。また、この透水性袋２１内は、帯状の３つの小容量区域２２と、２つの大容量区域２３とに区分されており、これらの区域２２、２３が、透水性袋２１内において平行且つ交互に配設されている。
【００１５】
３つの小容量区域２２には、ブライオゾーア化石粉末４が収容されている。ブライオゾーア化石粉末４には上述したような優れた水質浄化機能があり、本実施形態においても、水質浄化剤としてブライオゾーア化石粉末４を使用することによって、水質浄化エレメント１が優れた水質浄化効果を発揮することとなる。
【００１６】
ブライオゾーア化石粉末４は、１０００万年〜２５００万年前に原生していた苔虫類の化石であって、地殻変動により隆起し地上に現出したものを、掘削、粉砕、乾燥等の工程を施すことによって得られる。本実施形態には、最大粒度が５ｍｍ以下に粉砕加工されたブライオゾーア化石粉末４が好適に使用され得る。ブライオゾーア化石粉末４は粉砕加工時において形状や粒度にばらつきが生じ易く、最大粒度を５ｍｍ以下に調整することによって、小容量区域２２に収容されるブライオゾーア化石粉末４の粒度を略均一にすることができ、より優れた水質浄化効果が得られる。
【００１７】
一方、２つの大容量区域２３には、活性炭５が収容されている。活性炭５にもブライオゾーア化石粉末４と同様に水質浄化機能がある。特に、活性炭５は汚水の脱色、脱臭、有機物除去等に効果があり、水質浄化剤としてブライオゾーア化石粉末４と共に活性炭５を併用することによって、水質浄化エレメント１は更に優れた水質浄化効果を発揮することができる。
【００１８】
本実施の形態に使用する活性炭５は、チップ状であることが好ましい。粒状や粉末状の活性炭を使用することも可能であるが、チップ状の活性炭は、粒状や粉末状の活性炭に比較して水質浄化効果が高く、また、回収して再生する際の取り扱い性、作業性も良好であることから、本実施形態においてはチップ状の活性炭５の使用が特に好ましい。
【００１９】
以上のように、透水性容器２（透水性袋２１）の小容量区域２２及び大容量区域２３にそれぞれブライオゾーア化石粉末４及び活性炭５を収容することによって、座布団のような外形状の水質浄化エレメント１が得られる。この水質浄化エレメント１を、河川、湖沼、池等の底部に沈めて設置することによって水質の浄化が図られる。これら広範の水域には、複数個の水質浄化エレメント１を予め連結して設置してもよく、或いは複数個の水質浄化エレメント１を別々に設置してもよい。予め連結された水質浄化エレメント１を設置した場合には、使用後の水質浄化エレメント１の回収が容易である点で好ましい。
【００２０】
所定の期間、水質浄化に使用された水質浄化エレメント１は回収され、水域の底部には新たな水質浄化エレメント１が設置される。一方、回収された水質浄化エレメント１にはブライオゾーア化石粉末４及び活性炭５が小容量区域２２及び大容量区域２３に別々に収容されているため、ブライオゾーア化石粉末４及び活性炭５の分別回収を容易に行い得る。そして、ブライオゾーア化石粉末４は土壌改良材として、また、活性炭５は再生して新たな水質浄化エレメント１に、それぞれ再利用することができる。
【００２１】
また、以上の構成から成る水質浄化エレメント１によれば、ブライオゾーア化石粉末４及び活性炭５の水域からの回収が非常に容易となる。すなわち、水質浄化剤としてブライオゾーア化石粉末４や活性炭５を水域に直接投入（散布）することによって水質浄化を図ることも可能であるが、予め透水性容器２にこれらの水質浄化剤を収容した上で水域に投入することによって、回収時に水質浄化剤が水域に残留することがなく、回収作業も非常に容易となる。なお、水質浄化エレメント１の回収時において、仮にブライオゾーア化石粉末４等が水域に流出したとしても、自然界に悪影響を及ぼすことはない。この点に関しては、例えば、ＪＩＳ  Ｋ  ０１０２：１９９８「工場排水試験方法」の魚類に対する急性毒性試験の項を参考にして行ったヒメダカによる９６時間の生存率試験により確認されている。具体的には、ブライオゾーア化石粉末４が１０ｇ／ｌとなるように添加された水槽中において、１０尾のヒメダカを用い、水温２４℃±１℃、止水式で試験を行った結果、９６時間後のヒメダカの生存率は１００％であった。
【００２２】
以上、本実施の形態に係る水質浄化エレメント１について詳述したが、本発明の実施形態はこれに限定されない。水質浄化エレメント１に係る透水性容器２（透水性袋２１）内は、ブライオゾーア化石粉末４及び活性炭５の分別回収を容易とするために、小容量区域２２と大容量区域２３とに区分されていたが、使用済みのブライオゾーア化石粉末４及び活性炭５を分別回収する必要が特にない場合、例えば、回収したブライオゾーア化石粉末４及び活性炭５をそのまま或いは粉砕して、これら全てを土壌改良材として使用するような場合には、透水性容器２内を区分しなくてもよい。つまり、透水性容器２内にブライオゾーア化石粉末４と活性炭５とを混合して収容してもよい。なお、本態様におけるブライオゾーア化石粉末４と活性炭５との混合割合は特に限定されないが、ブライオゾーア化石粉末４と活性炭５の容量比を１：１０〜１０：１とすることが好ましく、特に好ましいのは１：６〜６：１である。
【００２３】
また、本実施の形態の水質浄化エレメント１では、小容量区域２２にブライオゾーア化石粉末４が収容され、大容量区域２３に活性炭５が収容されているが、小容量区域２２に活性炭５が収容され、大容量区域２３にブライオゾーア化石粉末４が収容されてもよい。
【００２４】
更に、本実施の形態に係る透水性容器２は、その内部が３つの小容量区域２２と２つの大容量区域２３とに区分されているが、本発明に係る透水性容器２内を区分する態様はこれに限定されず、少なくとも透水性容器２内が２以上の区域に区分されていればよい。つまり、透水性容器２内を区分して形成した区域ごとに、ブライオゾーア化石粉末４と活性炭５を別々に収容できればよく、透水性容器２内が２以上の区域に区分されていれば、区域数や各区域の容量は特に限定されない。なお、各区域の容量は特に限定されないが、透水性容器２全体に占めるブライオゾーア化石粉末４が収容される区域と、活性炭５が収容される区域の容量比を１：１０〜１０：１とすることが好ましく、１：６〜６：１とすることが特に好ましい。また、透水性容器２内を３以上の区域に区分した態様では、ブライオゾーア化石粉末４と活性炭５を各区域に交互に収容することが好ましい。
【００２５】
また更に、本発明に係る透水性容器の大きさ、形状等も図１に示した平面視が四角形のものに限定されず、平面視の外形状が例えば円形や楕円形、多角形等、何れであってもよい。透水性容器の材質も不織布に限定されず、織物、ネット、多孔フィルム等、何れであってもよい。
【００２６】
また、本発明の水質浄化エレメントは、水域の底部に沈めて設置する使用態様に限定されず、水域における任意の水深に留めた状態で設置してもよい。但し、水質浄化エレメントをそのままの状態で水域に投入すると沈んでしまうため、例えば、水上に浮かべた筏から水質浄化エレメントを吊り下げた状態で設置することによって、任意の水深に水質浄化エレメントを設置することができる。また、水質浄化エレメントに、別体の、或いは一体に浮き袋を設けることによって、水質浄化エレメントを水面に浮かべて設置することもできる。
【００２７】
以上に例示した本実施の形態に係る水質浄化エレメントは、本願発明の技術的思想を実質的に限定するものと解してはならない。本発明は、その要旨を逸脱しない範囲で、当業者の創意と工夫により、適宜に改良、変更又は追加をしながら実施されるものである。
【産業上の利用可能性】
【００２８】
本発明の水質浄化エレメントは、海洋、河川、湖沼、池、水槽等のあらゆる水域の水質浄化に好適に使用し得る。また、下水、工場廃水、パルプ廃液、食品加工廃液等の処理にも好適に使用し得る。更には、使用済みの水質浄化エレメントから回収した水質浄化剤、すなわちブライオゾーア化石粉末及び活性炭は、土壌改良材や新たな水質浄化剤として再利用することが容易に行い得る。
【図面の簡単な説明】
【００２９】
【図１】（ａ）は本発明の実施形態に係る水質浄化エレメントの平面図であり、（ｂ）は（ａ）に示した水質浄化エレメントのＡ−Ａ’断面図である。
【符号の説明】
【００３０】
１：水質浄化エレメント
２：透水性容器
４：ブライオゾーア化石粉末
５：活性炭
【図１】
2006289176.tif 000003